(57)【要約】【課題】極めて簡単に使用を開始することができる収容装置を提供すること。【解決手段】本発明にかかる収容装置１０は、上方に開口部が形成された容器１１と、容器１１に装着された遮蔽部材１２と、用事前に前記開口部を封止するように容器１１に嵌合可能な蓋部材１３と、を備えている。蓋部材１３には、容器１１の内部に延びて遮蔽部材１２に形成された第１筒状部１２ａ内に収容される第２筒状部１３ａが設けられ、該第２筒状部１３ａには、遮蔽部材１２の第１筒状部１２ａ内に連通する連通孔１３ｃと、第１歯状突部１３ｄとが備えられている。また、遮蔽部材１２には、用事に蓋部材１３が下降されることで第１歯状突部１３ｄにより破断され、連通孔１３ｃを通じて、容器１１の内部を収容装置１０外部と連通させる被破断用突起部１２ｄが備えられている。【選択図】      図１
2005022675.tif 000002
【特許請求の範囲】
【請求項１】
上方に開口部が形成された容器と、前記容器に装着された遮蔽部材と、用事前に前記開口部を封止するように前記容器に嵌合可能な蓋部材と、を備えた収容装置であって、
前記蓋部材には、前記容器の内部に延びて前記遮蔽部材に形成された第１筒状部内に収容される第２筒状部が設けられ、該第２筒状部には、前記遮蔽部材の前記第１筒状部内に連通する連通孔と、第１歯状突部とが備えられ、
前記遮蔽部材には、用事に前記蓋部材が下降されることで前記第１歯状突部により破断され、前記連通孔を通じて、前記容器の内部を収容装置外部と連通させる被破断用突起部が備えられていることを特徴とする収容装置。
【請求項２】
前記遮蔽部材の前記第１筒状部、および前記蓋部材の前記第２筒状部が、前記容器内に延長して配され、該第２筒状部の先端部には、用事に前記蓋部材を下降させることで該第１筒状部の先端部に設けられた端板を破断させる第２歯状突部が更に備えられていることを特徴とする請求項１に記載した収容装置。
【発明の詳細な説明】
【０００１】
【発明の属する技術分野】
本発明は、収容装置に関し、例えば、容器内の薬剤に含まれた芳香成分や消臭成分等の有効成分を外部に揮散および拡散させることができる収容装置に関する。
【０００２】
【従来の技術】
従来の収容装置として、内部に芳香成分等の有効成分を含む薬剤を収容し、用事（即ち、使用開始時）に、キャップを回して開け、容器の開口部を封止する部材を取り外し、そして再びキャップを閉めて用いるもの（例えば、非特許文献１参照）や、用事（即ち、使用開始時）に、外装部材（フェルト台）を外し、容器の開口部を封止する内装部材（キャップ）の一部分を捩り取り、そして再び外装部材（フェルト台）を装着して用いるもの（例えば、特許文献１参照）が知られている。
【０００３】
【非特許文献１】
小林製薬株式会社、製品名：“微香空間”（登録商標）、［ｏｎｌｉｎｅ］、［平成１５年６月１０日検索］、インターネット＜ＵＲＬ：ｈｔｔｐ：／／ｗｗｗ．ｋｏｂａｙａｓｈｉ．ｃｏ．ｊｐ／ｓｅｉｈｉｎ／ｉｎｄｅｘ．ｈｔｍｌ＞
【特許文献１】
特開平５−２８５２０５号公報（第２〜３頁、第１図）
【０００４】
【発明が解決しようとする課題】
上述した収容装置では、使用を開始する際に、先ずキャップまたは外装部材を取り外し、容器の開口部を封止する部材または当該部材の一部分を除去し、そして再びキャップまたは外装部材を取り付ける煩雑な動作を求められるため、手間がかかる。
【０００５】
本発明は、前述した事情に鑑みてなされたものであり、その目的は、極めて簡単に使用を開始することができる収容装置を提供することにある。
【０００６】
【課題を解決するための手段】
前述した目的を達成するため、本発明に係る収容装置は、請求項１に記載したように、
上方に開口部が形成された容器と、前記容器に装着された遮蔽部材と、用事前に前記開口部を封止するように前記容器に嵌合可能な蓋部材と、を備えた収容装置であって、
前記蓋部材には、前記容器の内部に延びて前記遮蔽部材に形成された第１筒状部内に収容される第２筒状部が設けられ、該第２筒状部には、前記遮蔽部材の前記第１筒状部内に連通する連通孔と、第１歯状突部とが備えられ、
前記遮蔽部材には、用事に前記蓋部材が下降されることで前記第１歯状突部により破断され、前記連通孔を通じて、前記容器の内部を収容装置外部と連通させる被破断用突起部が備えられていることを特徴としている。
【０００７】
請求項１に記載の発明によれば、使用者が用事に（即ち、使用開始時に）蓋部材を下降させることで、蓋部材に形成された第１歯状突部によって遮蔽部材の被破断用突起部が破断され、遮蔽部材の破断された被破断用突起部、および蓋部材の連通孔を通じて、容器内と収容装置の外部（即ち、雰囲気）とが連通される。従って、蓋部材を下降させるだけといった極めて簡単な操作で収容装置の使用を開始することができる。
【０００８】
尚、例えば、芳香成分、消臭成分、等といった有効成分を含む、揮散性を有する、薬剤（例えば、液体製剤、ビーズ状やゲル状の固形・半固形製剤、等）を本発明に係る収容装置の容器内に収容する形態を採った場合は、破断された被破断用突起部および蓋部材の連通孔を通じて、収容装置の外部に有効成分が揮散される。また例えば、ヘア・リキッド等といった液状の整髪料を本発明に係る収容装置の容器内に収容する形態を採った場合、収容装置を逆さにすれば（更に必要に応じて容器を外側から押圧すれば）、破断された被破断用突起部および蓋部材の連通孔を通じて、収容装置の外部へ整髪料が放出される。更に例えば、塩、胡椒、醤油、ソース、等といった粉末状または液状の調味料を本発明に係る収容装置の容器内に収容する形態を採った場合も、収容装置を逆さにすれば（更に必要に応じて容器を振ったり、外側から押圧すれば）、破断された被破断用突起部および蓋部材の連通孔を通じて、収容装置の外部へ調味料が放出される。
【０００９】
また、本発明に係る収容装置は、請求項２に記載したように、請求項１に記載の収容装置において、
前記遮蔽部材の前記第１筒状部、および前記蓋部材の前記第２筒状部が、前記容器内に延長して配され、該第２筒状部の先端部には、用事に前記蓋部材を下降させることで該第１筒状部の先端部に設けられた端板を破断させる第２歯状突部が更に備えられていることを特徴としている。
【００１０】
請求項２に記載の発明によれば、使用者が用事に蓋部材を下降させ、それにより蓋部材に形成された第１歯状突部によって遮蔽部材の被破断用突起部が破断され、同時に、蓋部材の第２歯状突部によって遮蔽部材の第１筒状部の先端部に設けられた端板が破断されるので、容器内に例えば揮散性を有する薬剤、特に、液体製剤を収容した場合、容器内と収容装置の外部（即ち、雰囲気）とが連通され、液体製剤が第２筒状部内に流入し、そして流入した液体製剤が収容装置の外部に効率よく揮散される。
【００１１】
容器の材質、形状は特に限定されず、収容物を安定して収容できるものであればよく、その材料としては、ポリエチレンテレフタレート（以下、ＰＥＴともいう）、ポリエチレン、ポリプロピレン、等のプラスチック、ガラス、セラミック、陶器、磁器、漆器、竹、木、ゴム、金属、等を例示できる。
容器は、液体を収容する場合、その内側底面の中央に液体が集まるような形状であることが好ましい。
【００１２】
本発明に係る収容装置の容器内に収容する薬剤としては、有効成分として芳香成分および／または消臭成分、忌避剤、防虫剤、殺菌剤、防カビ剤、殺虫剤、昆虫成長調整剤等を含むものが挙げられる。
芳香成分としては、例えば、ハッカ油、ペパーミント油、スペアミント油、イグサ、ヒノキ、シトロネラ、シトラール、シトロネラール、レモン、レモングラス、オレンジ、ユーカリ、ラベンダー、等の精油成分およびそれらから得られる芳香成分が挙げられる。
消臭成分としては、例えば、メタクリル酸ラウリル、メチル化サイクロデキストリン、植物抽出エキス（例えば、ツバキ、バラ、キク、マツ、スギ、オオバコ等から得られるエキス）、植物精油（例えば、茶抽出物、カテキン、植物ポリフェノール、リナロール、メントール、ボルネオール）、界面活性剤、等が挙げられる。
【００１３】
以上、本発明について簡潔に説明した。更に、以下に説明される発明の実施の形態を添付の図面を参照して通読することにより、本発明の詳細は更に明確化されるであろう。
【００１４】
【発明の実施の形態】
以下、本発明に係る複数の好適な実施形態を図面に基づいて詳しく説明する。
（第１実施形態）
図１は、本発明に係る収容装置の第１実施形態の全体断面図を示している。図１に示すように、本発明の第１実施形態であり且つ請求項１に対応する収容装置（換言すれば、揮散装置）１０は、揮散性を有する薬剤Ｌを内部に収容した樹脂（例えば、ＰＥＴ等）からなる容器１１と、容器１１に装着された中栓状の遮蔽部材１２と、収容装置１０の使用前（用事前）に開口部を封止するように容器１１に嵌合可能に設けられたキャップ状の蓋部材１３と、によって概略構成されている。
【００１５】
容器１１は、内部に薬剤Ｌを収容する空間が形成される本体１１ａと、本体１１ａから上方（図１に向かって上側）に立ち上げられた円筒状の立設部１１ｂとを有するように構成されている。本体１１ａの、立設部１１ｂに囲まれた部位は、開口するように形成されており、立設部１１ｂの内周面によって開口部１１ｅが区画されている。また、立設部１１ｂは、その外周面に、おねじ部１１ｆが形成されている。
【００１６】
遮蔽部材１２は、開口部１１ｅを介して容器１１の内部に挿入される筒形状の第１筒状部１２ａを有する。遮蔽部材１２は、その容器１１内に延びる第１筒状部１２ａの先端部が容器１１内の薬剤Ｌに近接して配されており、そして端板１２ｂによって密閉されている。言い換えれば、第１筒状部１２ａは有底の筒形状である。
【００１７】
遮蔽部材１２の上端部には、顎部１２ｃが環状に突設されている。顎部１２ｃは、第１筒状部１２ａが容器１１の内部に挿入されている状態で、容器１１の立設部１１ｂの上方端部に係合して固着される。この遮蔽部材１２には、被破断用突起部１２ｄ（後述）が形成されている。
【００１８】
尚、遮蔽部材１２を形成する材料としては、例えば、樹脂、金属、耐水性ラミネート材、ゴム、木、竹、等が挙げられる。
【００１９】
蓋部材１３は、容器１１の内部に延びる第２筒状部１３ａを有する。蓋部材１３は、第２筒状部１３ａの先端部が遮蔽部材１２における第１筒状部１２ａの端板１２ｂに近接して配されており、この端部は、端板１３ｂによって密閉されている。言い換えれば、第２筒状部１３ａは有底の筒形状であって、第１筒状部１２ａ内に収容される。蓋部材１３の端板１３ｂと遮蔽部材１２の端板１２ｂとの離間距離は、蓋部材１３がねじ込まれることによって下降される距離に対応して設定されている。
【００２０】
そして、蓋部材１３は、第２筒状部１３ａの上端部の外周部に、連通孔１３ｃと、第１歯状突部１３ｄとが頭部１３ｅの内周側に形成されている。頭部１３ｅの内周面には、容器１１のおねじ部１１ｆに螺合されるめねじ部１３ｆが形成されている。
【００２１】
図２は、図１に示す遮蔽部材１２および蓋部材１３の要部破断斜視図である。
図２に示すように、被破断用突起部１２ｄは、第１筒状部１２ａの上端部において、顎部１２ｃの内周部に、二対、対向して突起状に形成されている。尚、被破断用突起部１２ｄは二対ではなく一対のみ形成されていてもよい。被破断用突起部１２ｄは、それらの天板部分が、薄肉に成形されており、用事に蓋部材１３が回されながら下降された際に蓋部材１３の第１歯状突部１３ｄにより破断される。これにより、容器１１の内部と遮蔽部材１２の内部とが連通する。尚、被破断用突起部１２ｄは、それらの天板部分が薄肉に形成されるだけでなく、更にそれらの側板部が薄肉に形成されていてもよいことは言うまでもない。
【００２２】
連通孔１３ｃは、蓋部材１３の第２筒状部１３ａの上端部である頭部１３ｅの内周壁の底部を貫通するように、一対、配されている。これら連通孔１３ｃは、第２筒状部１３ａの外周囲、つまり、遮蔽部材１２の第１筒状部１２ａの内部を外気（雰囲気）に常時連通させる。
【００２３】
第１歯状突部１３ｄは、連通孔１３ｃの外側で頭部１３ｅの内周壁の底部上に円周方向に沿って、二対、配置されている。これら第１歯状突部１３ｄは、上述したように用事に蓋部材１３が回されながら下降された際に被破断用突起部１２ｄの天板部分を破断できるように配されている。尚、第１歯状突部１３ｄは、図２に示されるように矩形を有しているが、その代わりに例えば三角形を有するものであってもよく、いずれにしても実施可能な限り、その形状は任意である。
【００２４】
図３は、図１に示す蓋部材１３を下降した際の要部断面図である。図３に示すように、第１歯状突部１３ｄは、円周方向にそれぞれ同一の突出量を持って形成されており、蓋部材１３の頭部１３ｅが把持されて、ねじ込み方向に回動されると、頭部１３ｅが立設部１１ｂに対してねじ込まれ、これにより蓋部材１３が下降された際に、被破断用突起部１２ｄの薄肉の天板部分に摺接しながら食い込んで被破断用突起部１２ｄを破断する。これにより、容器１１の内部が、破断された被破断用突起部１２ｄ、および遮蔽部材１２の連通孔１３ｃを通じて外気に連通され、薬剤Ｌが外部へ揮散される。
【００２５】
本実施形態において、薬剤Ｌは、例えば、芳香成分、消臭成分、等といった有効成分を含むものであって、例えば、液体製剤、ビーズ状やゲル状の固形・半固形製剤、等である。
【００２６】
さて、収容装置１０を使用する場合、蓋部材１３の頭部１３ｅを把持してねじ込み方向へ回動させる。蓋部材１３が回動されると、蓋部材１３の頭部１３ｅが回動しながら下降するため、第１歯状突起１３ｄが、遮蔽部材１２の被破断用突起部１２ｄに摺接しながら食い込み、さらに回動されることにより、被破断用突起部１２ｄが破断される。これにより、被破断用突起部１２ｄが開口され、または部分的に切り取られて開口され、容器１１の内部が、開口された被破断用突起部１２ｄ、および遮蔽部材１２の連通孔１３ｃを通じて外気に連通されることによって、薬剤Ｌが外部へ揮散される。
【００２７】
上記のように構成された収容装置１０によれば、使用者が用事に（即ち、使用開始時に）蓋部材１３を下降させることで、蓋部材１３に形成された第１歯状突部１３ｄによって遮蔽部材１２の被破断用突起部１２ｄが破断され、遮蔽部材１２の破断された被破断用突起部１２ｄ、および蓋部材１３の連通孔１３ｃを通じて、容器１１内と収容装置１０の外部（即ち、雰囲気）とが連通される。従って、蓋部材１３を下降させるだけといった極めて簡単な操作で収容装置１０の使用を開始することができる。
【００２８】
尚、薬剤Ｌの代わりに、例えば、ヘア・リキッド等といった液状の整髪料を収容装置１０の容器１１内に収容してもよく、この場合、収容装置１０を逆さにすれば（更に必要に応じて容器１１を外側から押圧すれば）、破断された被破断用突起部１２ｄおよび蓋部材１３の連通孔１３ｃを通じて、収容装置１０の外部へ整髪料が放出される。また、薬剤Ｌの代わりに、例えば、塩、胡椒、醤油、ソース、等といった粉末状または液状の調味料を収容装置１０の容器１１内に収容した場合も、収容装置１０を逆さにすれば（更に必要に応じて容器１１を振ったり、外側から押圧すれば）、破断された被破断用突起部１２ｄおよび蓋部材１３の連通孔１３ｃを通じて、収容装置１０の外部へ調味料が放出される。尚、これらの場合、連通孔１３ｃの数を適宜増加させることが好ましい。
【００２９】
（第２実施形態）
次に、図４〜図１１を参照して本発明に係る第２実施形態を説明する。図４は、本発明に係る収容装置の第２実施形態の全体断面図を示している。尚、第２実施形態において、既に説明した部材等と同様な構成・作用を有する部材等については、図中に同一符号または相当符号を付することにより、説明を簡略化或いは省略する。
【００３０】
図４に示すように、本発明の第２実施形態であり且つ請求項２に対応する収容装置（換言すれば、揮散装置）３０は、揮散性を有する薬剤として液体製剤Ｌが用いられ、そして遮蔽部材１２の第１筒状部１２ａ，蓋部材１３の第２筒状部１３ａの先端部に、容器１１の底板１１ｃに向けて延出された延長部１２ｊ，１３ｊがそれぞれ形成されている。また、遮蔽部材１２における第１筒状部１２ａおよび延長部１２ｊの内周部に、液体製剤Ｌが供給される樹脂製の吸液体３１の吸液部材３２が挿入されている。
【００３１】
遮蔽部材１２の延長部１２ｊの先端部は、容器１１内の液体製剤Ｌに浸された状態で配されており、端板１２ｅによって密閉されている。そして、端板１２ｅの内面側における外周部分に、周方向に亘って溝を切るように形成された薄肉部１２ｆが設けられている。
【００３２】
蓋部材１３の延長部１３ｊの先端部は、開放された開口部１３ｇになっており、先端面１３ｈ上に複数の第２歯状突部１３ｉが突出形成されている。これら第２歯状突部１３ｉは、用事に蓋部材１３が回されながら下降された際に薄肉部１２ｆを破断できるように配されている。
【００３３】
吸液体３１は、蓋部材１３の上方に露呈する揮散部材３３と、当該揮散部材３３と一体または別体に形成された吸液部材３２とを一体的に結合したものである。吸液体３１を形成する材料としては、有機材料、無機材料のいずれでも用いることができるが、好ましくは樹脂であり、具体的には、ＰＥＴ、アクリル樹脂（以下、『ＰＡ』とも記述する。）、ポリプロピレン、ポリエチレンの１種あるいは２種以上を挙げることができる。特にＰＥＴまたはＰＡを用いた多孔性材料が好ましく、これにより、液体製剤Ｌ中に含まれる有効成分の揮散性および拡散性が一層向上する。尚、吸液体３１に風、熱風を当てたり、あるいは吸液体３１をヒータにより加熱したりして液体製剤Ｌの有効成分の拡散力を向上させることもできる。あるいは、超音波振動器により液体製剤Ｌを吸液体３１から霧化させて有効成分の拡散力を向上させてもよい。
【００３４】
図５および図６に示すように、遮蔽部材１２の延長部１２ｊ，蓋部材１３の延長部１３ｊは、第１筒状部１２ａ，第２筒状部１３ａに連続して延長されている。また、図７に示すように、蓋部材１３において延長部１３ｊの先端面１３ｈに形成された第２歯状突部１３ｉは、蓋部材１３をねじ込むための回動方向Ｒに沿って湾曲するように形成されている。つまり、このような形状の第２歯状突部１３ｉにより、蓋部材１３を回動させて第２筒状部１３ａを下降させることで遮蔽部材１２の端板１２ｅを容易に突き破りつつ所定範囲を切り抜き、液体製剤Ｌが流入可能なように分離する。
【００３５】
蓋部材１３は、その頭部１３ｅを把持しながら図８（ａ）に示すように矢印Ｒ方向へ回動されると、頭部１３ｅが容器１１の立設部１１ｂにねじ込まれ、これにより、第２筒状部１３ａが下方（図８（ａ）中矢印Ｐ方向）へ下降し、延長部１３ｊの先端部に形成された第２歯状突部１３ｉが遮蔽部材１２の端板１２ｅの薄肉部１２ｆに摺接しながら食い込み、図８（ｂ）に示すように、遮蔽部材１２の端板１２ｅが破断されて切り取られる。
【００３６】
図９に示すように、蓋部材１３における頭部１３ｅの内周面に形成されためねじ部１３ｆは２条ねじになっている。そして、図１０に示すように、容器１１の立設部１１ｂに形成されたおねじ部１１ｆもめねじ部１３ｆに対応した２条ねじになっている。
【００３７】
そのため、蓋部材１３の立設部１１ｂへのねじ込みを、より小さな力でも行なうことができる。
【００３８】
図１１に示すように、蓋部材１３には、その上端部における上方開口部１３ｓの縁部に、複数の支持片１３ｎが周方向に間隔をあけて形成されている。支持片１３ｎは、吸液体３１を収容装置３０に装着した状態で、揮散部材３３が蓋部材１３の頭部１３ｅの上端面に接触しないように吸液体３１を上方に支持する。このため、揮散部材３３と、頭部１３ｅとの間から空気が吸液部材３２に適当に流入するため、揮散部材３３における液体製剤Ｌの揮散がスムーズになる。
【００３９】
上記のように構成された収容装置３０によれば、使用者が用事に（即ち、使用開始時に）蓋部材１３を下降させ、それにより蓋部材１３の第１歯状突部１３ｄによって遮蔽部材１２の被破断用突起部１２ｄが破断され、同時に、蓋部材１３の第２歯状突部１３ｉによって遮蔽部材１２の第１筒状部１２ａの先端部に設けられた端板１２ｅが破断されるので、容器１１内と収容装置３０の外部（即ち、雰囲気）とが連通され、液体薬剤Ｌが第２筒状部１３ａ内に流入し、流入した液体薬剤Ｌが外部に効率よく揮散される。
【００４０】
尚、本発明は、前述した実施形態に限定されるものではなく、適宜、変形，改良，等が可能である。その他、前述した実施形態における各構成要素の材質、形状、寸法、形態、数、配置箇所、等は本発明を達成できるものであれば任意であり、限定されない。
【００４１】
【発明の効果】
以上説明したように、本発明によれば、使用者が用事に（即ち、使用開始時に）蓋部材を下降させることで、蓋部材に形成された第１歯状突部によって遮蔽部材の被破断用突起部が破断され、遮蔽部材の破断された被破断用突起部、および蓋部材の連通孔を通じて、容器内と収容装置の外部（即ち、雰囲気）とが連通される。従って、蓋部材を下降させるだけといった極めて簡単な操作で収容装置の使用を開始することができる。
【００４２】
また、本発明によれば、使用者が用事に蓋部材を下降させ、それにより蓋部材に形成された第１歯状突部によって遮蔽部材の被破断用突起部が破断され、同時に、蓋部材の第２歯状突部によって遮蔽部材の第１筒状部の先端部に設けられた端板が破断されるので、容器内に例えば揮散性を有する薬剤、特に、液体製剤を収容した場合、容器内と収容装置の外部（即ち、雰囲気）とが連通され、液体製剤が第２筒状部内に流入し、そして流入した液体製剤が収容装置の外部に効率よく揮散される。
【図面の簡単な説明】
【図１】本発明の第１実施形態である収容装置を示す全体断面図である。
【図２】図１の遮蔽部材および蓋部材の要部破断斜視図である。
【図３】蓋部材の第１歯状突部が遮蔽部材の被破断用突起部を破断した状態を示す、図１の蓋部材が下降された際の要部断面図である。
【図４】本発明の第２実施形態である収容装置を示す全体断面図である。
【図５】図４の遮蔽部材および蓋部材の要部破断斜視図である。
【図６】蓋部材の第１歯状突部が遮蔽部材の被破断用突起部を破断した状態を示す、図４の蓋部材が下降された際の要部断面図である。
【図７】図４の第２筒状部を示す要部斜視図である。
【図８】（ａ）は第２筒状部によって遮蔽部材が破断される前の状態を説明する要部断面図、そして（ｂ）は第２筒状部によって遮蔽部材が破断された後の状態を説明する要部断面図である。
【図９】蓋部材の頭部の形状を説明する斜視図である。
【図１０】容器の立設部の形状を説明する一部破断側面図である。
【図１１】蓋部材の外観形状を説明する一部破断斜視図である。
【符号の説明】
１０，３０  収容装置
１１        容器
１１ｅ      開口部
１２        遮蔽部材
１２ａ      第１筒状部
１２ｄ      被破断用突起部
１２ｅ      端板
１３        蓋部材
１３ａ      第２筒状部
１３ｃ      連通孔
１３ｄ      第１歯状突部
１３ｉ      第２歯状突部
Ｌ          薬剤（液体製剤）
【図１】
2005022675.tif 000003
【図２】
2005022675.tif 000004
【図３】
2005022675.tif 000005
【図４】
2005022675.tif 000006
【図５】
2005022675.tif 000007
【図６】
2005022675.tif 000008
【図７】
2005022675.tif 000009
【図８】
2005022675.tif 000010
【図９】
2005022675.tif 000011
【図１０】
2005022675.tif 000012
【図１１】
2005022675.tif 000013